(57)【要約】      （修正有）【課題】ヘアドライヤー使用時に、ヘアドライヤーの吐出口に設けられた櫛部を頭により密着させることができるヘアドライヤー用風吐出口、及びそれを用いたヘアドライヤーを提供する。【解決手段】ヘアドライヤーの風吐出口であって、筒状の側壁を有し、この筒状の側壁の一方の端部が風導入口４をなし、他方の端部が風吐出口７をなし、風吐出口７は、相対向する一対の長手部１３、１３’と、これら一対の長手部の端部同士を相互に連結する連結部１６、１６’とからなり、これら長手部と連結部とが連結して、長円形、ほぼ長方形、又はほぼ台形のいずれかである端面形状をなし、一対の長手部はそれぞれ風導入口側に向かって湾曲する円弧状をなし、一対の長手部のうちの少なくとも一方に沿って、風の吐出する向きに突出する３本以上の櫛歯部を有する櫛部１０、１０’を備え、これら３本以上の櫛歯部の先端部が、風導入口側に向かって湾曲する円弧上に位置している。【選択図】図１
0003205858.tif 000002
【実用新案登録請求の範囲】
【請求項１】
ヘアドライヤーの風吐出口であって、
筒状の側壁を有し、この筒状の側壁の一方の端部が風導入口をなし、他方の端部が風吐出口をなし、
前記風吐出口は、相対向する一対の長手部と、これら一対の長手部の端部同士を相互に連結する連結部とからなり、これら長手部と連結部とが連結して、長円形、ほぼ長方形、又はほぼ台形のいずれかである端面形状をなし、
前記一対の長手部はそれぞれ前記風導入口側に向かって湾曲する円弧状をなし、
前記一対の長手部のうちの少なくとも一方に沿って、風の吐出する向きに突出する３本以上の櫛歯部を有し、これら３本以上の櫛歯部の先端部が、前記風導入口側に向かって湾曲する円弧上に位置している
ことを特徴とする、ヘアドライヤー用風吐出口。
【請求項２】
前記一対の長手部が共に櫛歯部を有していることを特徴とする、請求項１に記載のヘアドライヤー用風吐出口。
【請求項３】
前記一対の長手部の一方が有する櫛歯部の本数と、他方が有する櫛歯部の本数とが異なることを特徴とする、請求項２に記載のヘアドライヤー用風吐出口。
【請求項４】
ヘアドライヤー本体に着脱自在のアタッチメントとして形成されたことを特徴とする、請求項１〜３のいずれか１項に記載のヘアドライヤー用風吐出口。
【請求項５】
請求項１〜４のいずれか１項に記載のヘアドライヤー用風吐出口を有する、ヘアドライヤー。
【請求項６】
約６０℃の低温風を吐出可能である、請求項５に記載のヘアドライヤー。
【考案の詳細な説明】
【技術分野】
【０００１】
本考案は、ヘアドライヤー用風吐出口、及びそれを用いたヘアドライヤーに関する。
【背景技術】
【０００２】
濡れた髪を乾かす際、手やブラシを使用して髪を梳きつつ、ヘアドライヤーを用いて、乾かしたり、各個人の好みのヘアスタイルにセットしている。しかし、片手でヘアドライヤーを操作し、もう片方の手でブラシを使用して髪を梳かすと、ブラシに髪を旨く絡ませることができずに、髪がブラシから外れてしまうという問題がある。
【０００３】
上記課題を解決することを目的とした、例えば、下記特許文献１に示されるドライヤーアタッチメントが、従来より知られている。すなわち、当該特許文献１に示されるドライヤーアタッチメントは、ドライヤーの吐出口に着脱自在に取り付けるアタッチメントにおいて、矩形、楕円形若しくは長穴状のいずれかの形状、またはそれらを組合せた形状のアタッチメント吐出口と、前記アタッチメント吐出口の長手側に設けられた植毛または櫛とを有することを特徴とするものである。
【先行技術文献】
【特許文献】
【０００４】
【特許文献１】特開２０１２−１７９２１５号公報
【考案の概要】
【考案が解決しようとする課題】
【０００５】
しかしながら、上記特許文献１に示すドライヤーアタッチメントにおいては、植毛又は櫛の先端が直線状に設けられているため、全ての植毛又は櫛を頭に密着させながら梳かすことが難しく、梳かしながら髪の表面を乾かすことはできても、梳かしながら髪の根元を乾かすことが難しいという問題がある。
【０００６】
そこで、上記の問題点に鑑み、ヘアドライヤー使用時に、ヘアドライヤー吐出口に設けられた櫛部を頭により密着させることができるヘアドライヤー用風吐出口、及びそれを用いたヘアドライヤーを提供することを課題とする。
【課題を解決するための手段】
【０００７】
本考案の請求項１に係るヘアドライヤー用風吐出口は、ヘアドライヤーの風吐出口であって、筒状の側壁を有し、この筒状の側壁の一方の端部が風導入口をなし、他方の端部が風吐出口をなし、上記風吐出口は、相対向する一対の長手部と、これら一対の長手部の端部同士を相互に連結する連結部とからなり、これら長手部と連結部とが連結して、長円形、ほぼ長方形、又はほぼ台形のいずれかである端面形状をなし、上記一対の長手部はそれぞれ上記風導入口側に向かって湾曲する円弧状をなし、上記一対の長手部のうちの少なくとも一方に沿って、風の吐出する向きに突出する３本以上の櫛歯部を有し、これら３本以上の櫛歯部の先端部が、上記風導入口側に向かって湾曲する円弧上に位置していることを特徴とするものである。
【０００８】
本考案の請求項２に係るヘアドライヤー用風吐出口は、上記一対の長手部が共に櫛歯部を有していることを特徴とするものである。
【０００９】
本考案の請求項３に係るヘアドライヤー用風吐出口は、上記一対の長手部の一方が有する櫛歯部の本数と、他方が有する櫛歯部の本数とが異なることを特徴とするものである。
【００１０】
本考案の請求項４に係るヘアドライヤー用風吐出口は、ヘアドライヤー本体に着脱自在のアタッチメントとして形成されたことを特徴とするものである。
【００１１】
本考案の請求項５に係るヘアドライヤーは、上記のヘアドライヤー用風吐出口を有するものである。
【００１２】
本考案の請求項６に係るヘアドライヤーは、約６０℃の低温風を吐出可能とするものである。
【考案の効果】
【００１３】
本考案に係るヘアドライヤー用風吐出口によれば、長手部がそれぞれ上記風導入口側に向かって湾曲する円弧状をなし、櫛歯部の先端部が、上記風導入口側に向かって湾曲する円弧上に位置していることにより、ヘアドライヤー用風吐出口に設けられた櫛部のより多くの櫛歯部の先端部を、頭に密着させることができる。これにより、梳かしながら髪の根元まで乾かすことができ、好みのヘアスタイルを形成し易くなる。
【００１４】
また、本考案に係るヘアドライヤー用風吐出口を用いたヘアドライヤーを、約６０℃の低温風を吐出可能とすることにより、頭皮や髪への負担を最小限にすることができる。
【図面の簡単な説明】
【００１５】
【図１】本考案の実施例１に係るヘアドライヤー用アタッチメントを示す斜視図である。
【図２】本考案の実施例２に係るヘアドライヤー用アタッチメントを示す斜視図である。
【図３】本考案の実施例３に係るヘアドライヤー用アタッチメントを示す斜視図である。
【図４】本考案の実施例１に係るヘアドライヤー用アタッチメントを示す平面図である。
【図５】本考案の実施例１に係るヘアドライヤー用アタッチメントを装着したヘアドライヤーを示す側面図である。
【図６】本考案の実施例１に係るヘアドライヤー用アタッチメントを装着したヘアドライヤーを示す斜視図である。
【図７】本考案の実施例１に係るヘアドライヤー用アタッチメントを装着したヘアドライヤーの使用方法を示す模式図である。
【図８】本考案の実施例２に係るヘアドライヤー用アタッチメントを装着したヘアドライヤーの使用方法を示す模式図である。
【図９】本考案の実施例３に係るヘアドライヤー用アタッチメントを装着したヘアドライヤーの使用方法を示す模式図である。
【考案を実施するための形態】
【００１６】
次に本考案の好適な実施例を添付の図面に基づいて詳細に説明する。
【実施例１】
【００１７】
図１、４に示すヘアドライヤー用アタッチメント１は、ヘアドライヤー本体２０の吐出口に着脱自在に取り付けることができるヘアドライヤー用風吐出口である。ヘアドライヤー用アタッチメント１は、筒状の側壁を有し、この筒状の側壁の一方の端部が風導入口４をなし、他方の端部が風吐出口７をなしている。
【００１８】
上記風導入口４の形状は、特に限定されず、各種ヘアドライヤー本体の吐出口の形状に合わせて変更することができる。
【００１９】
上記風吐出口７は、相対向する一対の長手部１３、１３’と、これら一対の長手部１３、１３’の端部同士を相互に連結する連結部１６、１６’とからなり、これら長手部１３、１３’と連結部１６，１６’とが連結して、長円形である端面形状をなしている。
【００２０】
上記一対の長手部１３，１３’は、それぞれ上記風導入口側に向かって湾曲する円弧状をなしている。
【００２１】
また、上記一対の長手部１３、１３’は、これらに沿って設けられた、風の吐出する向きに突出する櫛歯部を有する櫛部１０、１０’をそれぞれ備える。これら櫛歯部の先端部は、それぞれ上記風導入口側に向かって湾曲する円弧上に位置している。
【００２２】
上記櫛部１０、１０’のうち、一方の櫛部１０は９本の櫛歯部からなり、他方の櫛部１０’は７本の櫛歯部からなる。櫛部１０の櫛歯部の本数と、櫛部１０’の櫛歯部の本数は、それぞれ３本以上であれば特に限定されず、同じ本数であってもよく、異なる本数であってもよい。櫛歯部の本数が多ければ、櫛歯部同士の間隔が狭くなり、使用者の毛髪量が少ない場合であっても、しっかりと櫛部に髪の毛を絡ませることができ、櫛歯部の本数が少ないと櫛歯部同士の間隔が広くなり、使用者の毛髪量が多い場合であっても、櫛通りがよくなる。ヘアドライヤー使用時に使用者の髪質や毛髪量に応じて、適宜選択することができる観点からは、櫛部１０の櫛歯部の本数と、櫛部１０’の櫛歯部の本数は異なるものであることが好ましい。
【００２３】
上記櫛部１０、１０’の櫛歯部の先端部が、風導入口側に湾曲する円弧上にそれぞれ位置していることにより、ヘアドライヤー使用時に、これらの先端部のほぼ全てを頭に密着させることができる。これにより、梳かしながら髪の毛の根元まで乾かすことができる。
【００２４】
上記櫛歯部の長さは、櫛歯部の先端が、風導入口側に湾曲する円弧上に位置していれば特に限定されず、それぞれが同じ長さであってもよく、異なる長さであってもよいが、通常は０．５〜３ｃｍ程度であり、例えば約１ｃｍとすることができる。
【００２５】
ヘアドライヤー用アタッチメントの材質は、特に限定されないが、鉄、真鍮、ステンレス、アルミニウム等の金属、合成樹脂、木材等を使用することができる。製作の容易さの観点からは、合成樹脂であることが好ましい。
【００２６】
図５，６に示すように、上記ヘアドライヤー用アタッチメント１は、上記風導入口４をヘアドライヤー本体２０の吐出口に接続することにより、使用することができる。ヘアドライヤー本体２０に装着されたヘアドライヤー用アタッチメント１は、風導入口４の円周方向に人手により自在に回動することができる。
【００２７】
ヘアドライヤー用アタッチメント１を用いるヘアドライヤー本体２０の構成は、特に限定されないが、吐出する風の温度を約６０℃に制御することができるものであることが好ましい。温風の温度を約６０℃に制御することにより、頭皮や髪への負担を最小限にすることができる。
【００２８】
また、ヘアドライヤー本体２０は、遠赤外線を放射可能とすることもできる。遠赤外線の放射は、毛髪を内側から乾かすことができるとの報告があり、毛髪をより速く乾かすことができる。従って、本考案の風吐出口を用い、かつ、低温風と遠赤外線を併用した場合、頭皮や髪への熱によるダメージをより低減することができる。
【００２９】
次に、ヘアドライヤー用アタッチメント１、及びそれを用いたヘアドライヤーの使用方法の例を説明する。ヘアドライヤー用アタッチメント１を装着したヘアドライヤーを手に持ち、次いで、温風を吐出しながら、図７（ａ）に示すように、頭頂部から毛先に向かって上から下へ梳く。ヘアドライヤーの使用者の毛髪量が多い場合、櫛歯部の本数が７本である櫛部１０’が、ヘアドライヤー本体２０の吐出口の上部に水平方向に並ぶように、ヘアドライヤー用アタッチメント１を回動し、櫛部１０’のみを頭に当接させて使用する。このように使用することにより、髪の毛を梳かしながら根元まで乾かすことが可能であり、また、使用者の毛髪量が多い場合であっても、櫛通りをよくすることができる。また、図７（ｂ）に示すように、側頭部に櫛部１０’を当接させて、髪の毛を下から上に掻き上げるように使用することもできる。この場合、櫛部１０’が、ヘアドライヤー本体２０の吐出口の下部に水平方向に並ぶように、ヘアドライヤー用アタッチメント１を回動し、櫛部１０’のみを頭に当接させて使用する。
【００３０】
一方、ヘアドライヤーの使用者の毛髪量が少ない場合、櫛歯部の本数が９本である櫛部１０が、ヘアドライヤー本体２０の吐出口の上部に水平方向に並ぶように、ヘアドライヤー用アタッチメント１を回動し、櫛部１０のみを頭に当接させて使用する。このように使用することにより、使用者の毛髪量が少ない場合であっても、しっかりと櫛部１０に髪の毛を絡ませることができる。また、髪の毛を下から上に掻き上げるように使用する場合は、櫛部１０が、ヘアドライヤー本体２０の吐出口の下部に水平方向に並ぶように、ヘアドライヤー用アタッチメント１を回動し、櫛部１０のみを頭に当接させて使用する。
【実施例２】
【００３１】
図２に示すヘアドライヤー用アタッチメント２は、実施例１の変更例である。ヘアドライヤー用アタッチメント２は、風吐出口８の長手部１４のみに、櫛部１１を有する。
【００３２】
櫛部１１は、９本の櫛歯部を有しているが、これに限定されるものではない。
【００３３】
他の構成要素は、実施例１と同様であるため、省略する。
【００３４】
次に、ヘアドライヤー用アタッチメント２、及びそれを用いたヘアドライヤーの使用方法の例を説明する。ヘアドライヤー用アタッチメント２を装着したヘアドライヤーを手に持ち、次いで、温風を出しながら、図８（ａ）に示すように、頭頂部から毛先に向かって梳く。この場合、櫛部１１が、ヘアドライヤー本体２０の吐出口の上部に水平方向に並ぶように、ヘアドライヤー用アタッチメント２を回動し、櫛部１１を頭に当接させて使用する。また、図８（ｂ）に示すように、側頭部に櫛部１１を当接させて、髪の毛を下から上に掻き上げるように使用することもできる。この場合、櫛部１１が、ヘアドライヤー本体２０の吐出口の下部に水平方向に並ぶように、ヘアドライヤー用アタッチメント２を回動し、櫛部１１を頭に当接させて使用する。
【実施例３】
【００３５】
図３に示すヘアドライヤー用アタッチメント３は、実施例１の変更例である。ヘアドライヤー用アタッチメント３は、風吐出口９の一対の長手部１５、１５’が共に、同じ形状である。
【００３６】
すなわち、櫛部１２、１２’は、いずれも９本の櫛歯部を有しているが、これに限定されるものではない。
【００３７】
他の構成要素は、実施例１と同様であるため、省略する。
【００３８】
次に、ヘアドライヤー用アタッチメント３、及びそれを用いたヘアドライヤーの使用方法の例を説明する。ヘアドライヤー用アタッチメント３を装着したヘアドライヤーを手に持ち、次いで、温風を出しながら、図９（ａ）に示すように、頭頂部から毛先に向かって梳く。この際、櫛部１２、１２’のいずれも頭に当接させて使用してもよく、一方のみを頭に当接させて使用してもよい。また、図９（ｂ）に示すように、側頭部に櫛部１２、１２’を当接させて、髪の毛を下から上に掻き上げるように使用することもできる。この場合も同様に、櫛部１２、１２’のいずれも頭に当接させて使用してもよく、一方のみを頭に当接させて使用してもよい。
【変更例】
【００３９】
上記実施例では、上記風吐出口の形状は、長手部と連結部とが連結して、長円形である端面形状をなしているものとしたが、これに限定されず、ほぼ長方形、又はほぼ台形である端面形状をなしているものであってもよい。
【００４０】
また上記実施例では、ヘアドライヤー用風吐出口を、着脱自在のヘアドライヤー用アタッチメントとしたが、ヘアドライヤー本体と一体となったものとして、成型してもよい。
【００４１】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００４２】
１〜３……ヘアドライヤー用アタッチメント
４〜６……風導入口
７〜９……風吐出口
１０〜１２……櫛部
１３〜１５……長手部
１６〜１８……連結部
２０……ヘアドライヤー本体
【図１】
0003205858.tif 000003
【図２】
0003205858.tif 000004
【図３】
0003205858.tif 000005
【図４】
0003205858.tif 000006
【図５】
0003205858.tif 000007
【図６】
0003205858.tif 000008
【図７】
0003205858.tif 000009
【図８】
0003205858.tif 000010
【図９】
0003205858.tif 000011